(57)【特許請求の範囲】
【請求項１】
表示部と、操作部と、
少なくとも前記表示部の照明を行うバックライトと、
携帯電話機の姿勢が予め定めた基準角度ではない状態から前記基準角度の状態に変化したことを検出する傾斜検出手段と、
前記操作部に対する操作の検出により前記バックライトの点灯から消灯までの時間を設定する第１のタイマと、
前記傾斜検出手段による状態変化の検出により前記時間を設定する第２のタイマと、
前記検出がいずれによるものかに対応して前記第１もしくは第２のタイマを起動して、
前記バックライトを点灯するよう制御する制御手段とを有し、
前記第１及び第２のタイマのいずれか一方が起動中で、且つ前記バックライトが点灯中のときは、他方のタイマによる前記バックライトの点灯起動を開始しないことを特徴とする携帯電話機。
【請求項２】
前記他方のタイマは、第２のタイマである請求項１に記載の携帯電話機。
【請求項３】
前記予め定める基準角度を、前記携帯電話機が水平に置かれた姿勢状態に設定することを特徴とする請求項１または２のいずれか１項に記載の携帯電話機。
【請求項４】
前記予め定める基準角度を、前記携帯電話機が水平に置かれた姿勢状態から可変しうることを特徴とする請求項１乃至２のいずれか１項に記載の携帯電話機。
【請求項５】
表示部と、操作部と、少なくとも前記表示部の照明を行うバックライトとを有する携帯電話機のバックライト制御方法において、
傾斜検出手段により前記携帯電話機の姿勢が予め定めた基準角度ではない状態から前記基準角度の状態に変化したことを検出する工程と、
前記傾斜検出手段による検出には、第１の時間を、
前記操作部による操作が行われたことを検出すると、第２の時間を、バックライトの点灯から消灯までの時間として設定する工程と、
前記傾斜検出手段による状態変化が検出されるか又は前記操作部に対する操作が行われたことを検出すると、制御手段により前記バックライトを点灯させるとともに、対応する前記時間をタイマに設定するように制御する工程と、
前記バックライトの点灯中に、前記傾斜手段により状態に変化したことを検出した場合には前記バックライトを、前記第１の時間を前記バックライトの点灯から消灯までの時間として、再度タイマに設定して継続点灯せず、前記操作部に対する操作が行われたことを検出した場合には、前記バックライトを、前記第２の時間を前記バックライトの点灯から消灯までの時間として、再度タイマに設定して継続点灯するよう抑制する工程とを備えることを特徴とする携帯電話機のバックライト制御方法。
【発明の詳細な説明】
【技術分野】
【０００１】
本発明は、表示部及び操作部を有するとともに、表示部及び操作部を照明する手段としてバックライトを有する携帯電話機、及び携帯電話機のバックライト制御方法に関する。
【背景技術】
【０００２】
近年、携帯電話機のＬＣＤ（液晶ディスプレイ）表示部には、カラーＬＣＤが用いられている。カラーＬＣＤの表示時、視認性を確保するため、バックライトを点灯させる。特に、透過重視型のカラーＬＣＤにおいては、バックライトの点灯状態がＬＣＤ表示の視認性に大きく影響する。
【０００３】
しかし、従来の携帯電話機では、消費電流を低減させるために、ある一定時間操作を検出しない場合には、バックライトを消灯させるようになっている。
【０００４】
即ち従来の携帯電話機では、ユーザが操作したことを検出した場合のみ、バックライト部を点灯する。図６のフローチャートに示すように、ユーザが操作したことを検出し（Ｓ３０１）、バックライト部が非点灯中の場合（Ｓ３０２）、バックライト部を点灯し（Ｓ３０３）、タイマの動作を開始する（Ｓ３０４）。タイマの動作が終了したことを検出した場合（Ｓ３０５）、バックライト部を消灯する（Ｓ３０６）。Ｓ３０５でタイマ動作終了を検出していない場合、ユーザが操作したかどうかを確認する（Ｓ３０７）。ユーザが操作した場合、Ｓ３０２に遷移するが、ユーザが操作していない場合、Ｓ３０５に遷移する。
【０００５】
しかしこの場合、携帯電話機を衣服のポケットやバックから取り出した時などは、バックライトが消灯したままであり、すぐにＬＣＤ表示を視認することができない。
【０００６】
また従来の携帯電話機において、消費電流を低減させる目的のために、光センサや振動センサを利用して、バックライトの点灯・消灯を制御する技術が開示されている。以下に示す特許文献１には光センサを利用した技術が、また特許文献２には振動センサを利用した技術がそれぞれ開示されている。
【０００７】
【特許文献１】特開２００２−１７１３４０号公報（第４−１０頁、図３−６）
【特許文献２】特開２００３−１７９６８６号公報（第３−５頁、図１−２）
【発明の開示】
【発明が解決しようとする課題】
【０００８】
上述したように従来の携帯電話機では、消費電流を低減させるために、ある一定時間操作を検出しない場合には、バックライトを消灯させていた。図６のフローチャートに示す従来例では、携帯電話機を衣服のポケットやバックから取り出したとき、バックライトが消灯したままであり、すぐにＬＣＤ表示を視認することができない。ＬＣＤ表示を視認するためには、一度任意のキーを押下するなどの操作をして、バックライトを点灯する必要がある。さらに、暗闇において、メール等を編集中にＬＣＤ表示部が暗くなった場合は、手探りで任意のキーを押下し、バックライトを点灯させ、ＬＣＤ表示部を明るくした後に、手探りで入力した不要な文字を削除する必要がある、など操作性に問題がある。
【０００９】
また、特許文献１に開示された光センサを利用する技術では、周囲の明るさに応じたバックライトの点灯・消灯を自動的に制御することができ、消費電流の低減がはかれる。しかし、周囲の明るさに依存するため、周囲が暗い状況下ではバックライトを点灯するためには何らかの光が得られる場所に操作者自身が移動しなければならないという運用上の問題がある。
【００１０】
さらに、特許文献２に開示された振動センサを利用する技術では、振動検出によってバックライトの点灯・消灯を制御しているが、不用意な振動、例えば携帯電話機を持った手を無意識に振ったときや、携帯電話機を落下させてしまったときの振動、あるいは携帯電話機を入れた鞄の取り扱いなどに起因する振動によってもバックライトが点灯してしまう恐れがあり、これも運用上の問題がある。
【００１１】
本発明の目的は、上記従来の問題点を解消し、携帯電話機の傾きを変えるという操作者の意図する動きを利用してバックライトを点灯させ、操作性の向上を図った携帯電話機及びそのバックライト制御方法を提供することにある。
【課題を解決するための手段】
【００１２】
本発明の携帯電話機は、表示部と、操作部と、少なくとも前記表示部の照明を行うバックライトと、携帯電話機の姿勢が予め定めた基準角度ではない状態から前記基準角度の状態に変化したことを検出する傾斜検出手段と、前記操作部に対する操作の検出により前記バックライトの点灯から消灯までの時間を設定する第１のタイマと、前記傾斜検出手段による状態変化の検出により前記時間を設定する第２のタイマと、前記検出がいずれによるものかに対応して前記第１もしくは第２のタイマを起動して、前記バックライトを点灯するよう制御する制御手段とを有し、前記第１及び第２のタイマのいずれか一方が起動中で、且つ前記バックライトが点灯中のときは、他方のタイマによる前記バックライトの点灯起動を開始しないことを特徴とする。
【００１３】
本発明の携帯電話機のバックライト制御方法は、表示部と、操作部と、少なくとも前記表示部の照明を行うバックライトとを有する携帯電話機において、傾斜検出手段により前記携帯電話機の姿勢が予め定めた基準角度ではない状態から前記基準角度の状態に変化したことを検出する工程と、前記傾斜検出手段による状態変化が検出されるか又は前記操作部に対する操作が行われたことを検出すると、制御手段により前記バックライトを点灯させるとともに、前記バックライトの点灯から消灯までの時間を、前記検出がいずれによるかに対応して異ならせ、前記時間をタイマに設定するように制御する工程とを備えることを特徴とする。
【発明を実施するための最良の形態】
【００２３】
次に、本発明について図面を参照して説明する。
【００２４】
図１は本発明の第１の実施の形態の携帯電話機の構成を示すブロック図、図２はこの第１の実施の形態の動作を示すフローチャートである。
【００２５】
第１の実施の形態の携帯電話機１００は、図１に示すように、アンテナ１０１、無線部１０２、傾斜センサ１０３、制御部１０４、音声処理部１０８、レシーバ１０９、マイク１１０、操作部１１１、ＬＣＤ表示部１１２、バックライト部１１３とで構成され、制御部１０４はＣＰＵ１０５、メモリ１０６、タイマ１０７及び周辺ブロックの制御回路を有する。
【００２６】
この携帯電話機１００は、制御部１０４の制御により無線部１０２、アンテナ１０１を介して図示しない基地局と通信を行う。無線部１０２は、アンテナ１０１にて受信した信号を、受信したい信号周波数を選択し周波数変換を行い増幅し復調して受信データを制御部１０４に出力する。制御部１０４は、受信データを処理して音声信号を音声処理部１０８に出力し、音声処理部１０８は、音声信号をアナログ信号に変えてレシーバ１０９より音声を出力する。また、マイク１１０より入力された音声は、音声処理部１０８にて、デジタル信号に変換され、制御部１０４は、その信号を送信データに変換し、無線部１０２にて変調し規定の周波数の搬送波として増幅し、アンテナ１０１より送信を行う。
【００２７】
制御部１０４は、操作部１１１を監視してユーザ（操作者）の操作を判断し、操作に基づく処理を行う。ＬＣＤ表示部１１２は、制御部１０４の制御により各種表示を行う。バックライト部１１３は、制御部１０４の制御により設定された輝度値にて点灯を行い、ＬＣＤ表示部１１２の表示面の照明を行う。制御部１０４は、ＬＣＤ表示部１１２の表示オン／オフ等に合わせて、バックライト部１１３の点灯／消灯の制御を行う。
【００２８】
ＬＣＤ表示部１１２を視認しやすい様に水平に置いた状態を携帯電話機１００の基準となる角度と定めた場合、携帯電話機１００が水平ではない状態から水平の状態に変化し、基準角度に達したと判断したとき、傾斜検出手段である傾斜センサ１０３は制御部１０４にオン信号を出力する。同様に、携帯電話機１００が水平の状態から水平ではない状態に変化し、基準角度ではなくなったと判断した場合、傾斜センサ１０３は制御部１０４にオフ信号を出力する。制御部１０４は、傾斜センサ１０３がオフからオンの状態に状態変化したことを検出すると、バックライト部１１３を点灯し、ＬＣＤ表示部１１２の表示面を照明する。
【００２９】
次に、この第１の実施の形態の動作について、図２のフローチャートを用いて説明する。
【００３０】
第１の実施の形態においては、操作者が操作したことを検出した場合（Ｓ２０１）、もしくは傾斜センサ１０３がオフからオンへの状態変化を検出した場合（Ｓ２０２）、バックライト部１１３が点灯中であるか否かを確認する（Ｓ２０３）。バックライト部１１３が非点灯中ならば、バックライト部１１３を点灯し（Ｓ２０４）、タイマ１０７の動作を開始する（Ｓ２０５）。タイマ１０７の動作終了を検出した場合（Ｓ２０６）、バックライト部１１３を消灯する（Ｓ２０７）。
【００３１】
また、Ｓ２０３において、バックライト部１１３が点灯中ならば、タイマ１０７をリスタートする。さらに、Ｓ２０６でタイマ１０７が動作終了していない場合、Ｓ２０８で操作者が操作したことを検出すれば、Ｓ２０３に遷移する。またＳ２０８において、操作者が操作したことを検出しなかった場合、Ｓ２０９で傾斜センサ１０３がオフからオンに状態変化したかどうかを確認する。Ｓ２０９で傾斜センサ１０３がオフからオンに状態変化したならば、Ｓ２０３でバックライト部１１３が点灯中であるか否かを確認する。Ｓ２０９で傾斜センサ１０３がオフからオンに状態変化していないならば、Ｓ２０６でタイマ１０７が動作終了したかどうかを判定する。
【００３２】
このように操作開始時など、ＬＣＤ表示部１１２が暗い場合、携帯電話機１００の傾きを変えることによって傾斜センサ１０３をオフからオンに状態変化させることにより、バックライト部１１３を点灯させてＬＣＤ表示部１１２を明るくすることができる。
【００３３】
次に、本発明の第２の実施の形態について説明する。図３はこの第２の実施の形態の動作を示すフローチャートである。
【００３４】
この第２の実施の形態においては、上述した第１の実施の形態におけるタイマ１０７を二つ使用するものとする。即ち、第２の実施の形態の構成は、図１に示すブロック図に対しタイマ１０７を１個追加しただけのものであり、従って個々の構成要素の説明は省略する。
【００３５】
タイマ１０７を二つ有することにより、操作者が操作したことを検出したときのバックライト部１１３の点灯時間と、傾斜センサ１０３がオフからオンに状態変化したときのバックライト部１１３の点灯時間を別々に設けることが可能となる。これにより、携帯電話機１００を傾け基準角度に戻すことでバックライト部１１３を点灯させ、ＬＣＤ表示部１１２にて現在時刻を確認するような使用用途の場合、バックライト部１１３の点灯時間を少なく設定することができる。また、傾斜センサ１０３がオフからオンに状態変化する時に起動するタイマ１０７が起動中に、再度傾斜センサ１０３がオンを検出した場合は、そのタイマ１０７をリスタートしないようにすること等で、傾斜センサ検出におけるバックライト点灯制御を他のバックライト点灯条件時とは別に行う。これにより、操作者が携帯電話機１００を衣服のポケットやバックに入れた場合などに、傾斜センサ１０３が頻繁にオン／オフする状況における不要なバックライト部１１３の点灯を抑制することが可能となる。
【００３６】
図３に示すフローチャートを用いて第２の実施の形態の動作を説明する。なお上述したように、タイマ１０７を二つ有しており、それぞれタイマＡ及びタイマＢと表現するものとする。
【００３７】
Ｓ４０１で操作者が操作したことを検出した状態にて、バックライト部１１３を点灯していない場合（Ｓ４０２）、タイマＡを使用してバックライト部１１３を点灯し（Ｓ４０３）、タイマＡの動作を開始する（Ｓ４０４）。Ｓ４０５でタイマＡがタイムアウトしていない場合、操作者が操作したかどうかを確認し（Ｓ４１３）、操作者が操作していなければ、傾斜センサ１０３がオフからオンに状態変化したかどうかを確認する（Ｓ４１４）。また、Ｓ４０５でタイマＡがタイムアウトした場合、バックライトを消灯する（Ｓ４０６）。
【００３８】
Ｓ４０１で操作者が操作したことを検出していない状態にて、傾斜センサ１０３がオフからオンへの状態変化を検出した場合（Ｓ４０７）、バックライト部１１３の点灯状態を確認する（Ｓ４０８）。Ｓ４０８にて、タイマＢが起動中であれば傾斜センサ１０３がオフからオンに状態変化した直後と判断して、再度タイマを開始させないようにする。つまり、Ｓ４０８でバックライト部１１３が未点灯だった場合、タイマＢを使用してバックライト部１１３を点灯し（Ｓ４０９）、タイマＢの動作を開始する（Ｓ４１０）。Ｓ４１１にてタイマＢがタイムアウトした場合、バックライト部１１３を消灯する（Ｓ４１２）。Ｓ４１１にてタイマＢがタイムアウトしていない場合、操作者が操作したかどうかを確認し（Ｓ４１５）、操作者が操作していなければ、傾斜センサ１０３がオフからオンに状態変化したかどうかを確認する（Ｓ４１６）。Ｓ４１６で傾斜センサ１０３がオフからオンへの状態変化を検出していない場合、Ｓ４１１に戻りタイマＢがタイムアウトしているか確認する処理に戻る。また、Ｓ４１６で傾斜センサ１０３がオフからオンへの状態変化を検出した場合、Ｓ４０８に戻りバックライト部１１３の点灯状態を確認する処理に戻る。Ｓ４０８でバックライト部１１３が点灯中であった場合、Ｓ４１７でタイマＢが起動中か否かを確認する。Ｓ４１７でタイマＢがタイムアウトしていないならＳ４１１に遷移し、Ｓ４１１でタイマＢがタイムアウトしたならば、バックライト部１１３を消灯する。
【００３９】
次に、本発明の第３の実施の形態について説明する。図４は本発明の第３の実施の形態の携帯電話機の構成を示すブロック図、図５はこの第３の実施の形態の動作を示すフローチャートである。
【００４０】
第３の実施の形態では、正面と背面の両方にＬＣＤ表示部とバックライト部を持つ折り畳み式の携帯電話機にて、傾斜センサによる正面と背面のバックライト制御方法を提案する。これにより、傾斜センサによる折り畳み式の携帯電話機において、正面バックライトを点灯する必要がない場合、背面バックライトのみを点灯することができ、また背面バックライトを点灯する必要がない場合、正面バックライトのみを点灯することができる。
【００４１】
この第３の実施の形態の携帯電話機５００は、図４に示すように、アンテナ５０１、無線部５０２、傾斜センサ５０３、制御部５０４、音声処理部５０８、レシーバ５０９、マイク５１０、操作部５１１、正面ＬＣＤ表示部５１２、正面バックライト部５１３、背面ＬＣＤ表示部５１４、背面バックライト部５１５、開閉検出部５１６とで構成され、制御部５０４はＣＰＵ５０５、メモリ５０６、タイマ５０７及び周辺ブロックの制御回路を有する。
【００４２】
図４にて明らかなように、第３の実施の形態の構成においては第１の実施の形態の場合と比較して、開閉検出部５１６が追加となり、また１箇所のみであったＬＣＤ表示部とバックライト部が、正面ＬＣＤ表示部５１２と正面バックライト部５１３、及び背面ＬＣＤ部５１４と背面バックライト部５１５としてそれぞれ２箇所で構成する。
【００４３】
第３の実施の形態では、折り畳み式の携帯電話機５００の開閉状態が変化した場合、開閉検出部５１６が変化を検出し、制御部５０４に開閉状態が変化したことを伝える。また制御部５０４は、正面ＬＣＤ表示部５１２の表示オン／オフに合わせて、正面バックライト部５１３の点灯／消灯の制御を実施する。背面ＬＣＤ表示部５１４と背面バックライト部５１５の点灯／消灯の制御についても同様である。その他の構成要素の作用は、第１の実施の形態にて説明したのと同じであるため、説明は省略する。
【００４４】
次に、この第３の実施の形態の動作について、図５のフローチャートを用いて説明する。
【００４５】
折り畳み式携帯電話機５００が開いたことを開閉検出部５１６で検出してない状態（閉じたままの状態、及び開いたままの状態）（Ｓ６０１）で、操作者が操作したことを検出した場合（Ｓ６０２）、もしくは傾斜センサ５０３がオフからオンへの状態変化を検出した場合（Ｓ６０３）、携帯電話機５００の開閉状態によって、正面バックライト部５１３と背面バックライト部５１５の点灯／消灯が異なる（Ｓ６０４）。
【００４６】
Ｓ６０４で携帯電話機５００を開いた状態ならば、背面バックライト部５１５を消灯し（Ｓ６０５）、正面バックライト部５１３が点灯中か否かを確認する（Ｓ６０６）。Ｓ６０６で正面バックライト部５１３が点灯していない場合、正面バックライト部５１３を点灯し（Ｓ６０７）、タイマ５０７をスタートし（Ｓ６０８）、Ｓ６０９でタイマ５０７がタイムアウトしたかどうかを確認する。Ｓ６０９でタイムアウトしたならば、正面バックライト部５１３を消灯し（Ｓ６１０
）、タイマ５０７を停止する（Ｓ６１１）。Ｓ６０９でタイムアウトしていないならば、折り畳み式の携帯電話機５００の開閉状態の変化を確認する（Ｓ６１８
）。Ｓ６１８で開閉状態の変化がないならば、操作者が操作したかどうかを検出する（Ｓ６１９）。Ｓ６１９で操作者が操作していないならば、傾斜センサ５０３がオフからオンに状態変化したかどうかを検出する（Ｓ６２０）。Ｓ６２０で変化を検出していないならば、Ｓ６０９に遷移する。
【００４７】
また、Ｓ６０４で携帯電話機５００を閉じた状態ならば、正面バックライト部５１３を消灯し（Ｓ６１２）、背面バックライト部５１５が点灯中か否かを確認する（Ｓ６１３）。Ｓ６１３で背面バックライト部５１５が点灯していない場合、背面バックライト部５１５を点灯し（Ｓ６１４）、タイマ５０７をスタートし（Ｓ６１５）、Ｓ６１６でタイマ５０７がタイムアウトしたかどうかを確認する。Ｓ６１６でタイムアウトしたならば、背面バックライト部５１５を消灯し（Ｓ６１７）、タイマ５０７を停止する（Ｓ６１１）。Ｓ６１６でタイムアウトしていないならば、折り畳み式の携帯電話機５００の開閉状態の変化を確認する（Ｓ６２１）。Ｓ６２１で開閉状態の変化がないならば、操作者が操作したかどうかを検出する（Ｓ６２２）。Ｓ６２２で操作者が操作していないならば、傾斜センサ５０３がオフからオンに状態変化したかどうかを検出する（Ｓ６２３）。Ｓ６２３で変化を検出していないならば、Ｓ６１６に遷移する。
【００４８】
このように、折り畳み式の携帯電話機５００で正面と背面の両方にＬＣＤ表示部とバックライト部を持つ場合、折り畳み式の開閉状態の検出と傾斜センサによる検出との組み合わせにより、正面バックライトのみの点灯又は背面バックライトのみの点灯を行うことができる。
【００４９】
なお、上述した第１ないし第３の実施の形態においては、傾斜センサ１０３、５０３による状態変化検出の基準角度を、携帯電話機１００、５００が水平に置かれた姿勢状態に設定するように説明したが、これに限定することなく、基準角度を操作者が最も認識しやすい携帯電話機の傾き姿勢角度に調整可能に設定できるようにしてもよい。
【図面の簡単な説明】
【００５０】
【図１】本発明の第１の実施の形態の携帯電話機の構成を示すブロック図である。
【図２】第１の実施の形態の動作を示すフローチャートである。
【図３】本発明の第２の実施の形態の携帯電話機の動作を示すフローチャートである。
【図４】本発明の第３の実施の形態の携帯電話機の構成を示すブロック図である。
【図５】第３の実施の形態の動作を示すフローチャートである。
【図６】従来の携帯電話機の動作を示すフローチャートである。
【符号の説明】
【００５１】
１００、５００    携帯電話機
１０１、５０１    アンテナ
１０２、５０２    無線部
１０３、５０３    傾斜センサ
１０４、５０４    制御部
１０５、５０５    ＣＰＵ
１０６、５０６    メモリ
１０７、５０７    タイマ
１０８、５０８    音声処理部
１０９、５０９    レシーバ
１１０、５１０    マイク
１１１、５１１    操作部
１１２    ＬＣＤ表示部
１１３    バックライト部
５１２    正面ＬＣＤ表示部
５１３    正面バックライト部
５１４    背面ＬＣＤ表示部
５１５    背面バックライト部
５１６    開閉検出部
【図１】
0004025752.tif 000002
【図２】
0004025752.tif 000003
【図３】
0004025752.tif 000004
【図４】
0004025752.tif 000005
【図５】
0004025752.tif 000006
【図６】
0004025752.tif 000007